(57)【要約】本発明の実施形態は、患者監視ヘルプ画面システムおよび方法に関する。具体的には、本発明の実施形態は、統合ヘルプ画面システムを有する患者監視デバイス（１０）を含む。ヘルプ画面システムは、コンテキストベースのヘルプを提供することができるため、ヘルプキー（１２）によってアクセスされるヘルプ画面は、特定のディスプレイコンテキストに関し得る。また、別の実施形態では、患者に関する生理学的情報を表示するように適合される患者モニタと、該モニタと連絡しているユーザ入力デバイスであって、該モニタに、選択可能なテキストを含むヘルプ画面を表示させるように構成されるユーザ入力デバイスとを含む、監視システムが提供される。
2009539187.tif 000002
【特許請求の範囲】
【請求項１】
患者に関する生理学的情報を表示するように適合される患者モニタと、
該モニタと連絡しているユーザ入力デバイスであって、該ユーザ入力デバイスは、該モニタに、選択可能なテキストを含むヘルプ画面を表示させるように構成される、ユーザ入力デバイスと、
を備える、監視システム。
【請求項２】
前記ユーザ入力デバイスは、キーまたはボタンを備える、請求項１に記載のシステム。
【請求項３】
前記ユーザ入力デバイスは、ヘルプアイコンを備える、請求項２に記載のシステム。
【請求項４】
モニタは、プレチスモグラフ波形、心拍数、ＳｐＯ２値、警告インジケータ、またはその任意の組み合わせを表示するように構成される、請求項１に記載のシステム。
【請求項５】
前記選択可能なテキストは、リッチテキストで書式設定されている、請求項１に記載のシステム。
【請求項６】
前記選択可能なテキストは、ハイパーリンクを含む、請求項１に記載のシステム。
【請求項７】
前記モニタにヘルプサブ画面を表示させるように適合される第２のユーザ入力デバイスを備える、請求項１に記載のシステム。
【請求項８】
前記ヘルプ画面は、少なくとも２ページのヘルプ画面を含む、請求項１に記載のシステム。
【請求項９】
前記少なくとも２ページのヘルプ画面間の切り替えを生じさせるように適合される第２のユーザ入力デバイスを備える、請求項８に記載のシステム。
【請求項１０】
前記ヘルプ画面を閉じるように適合される第２のユーザ入力デバイスを備える、請求項１に記載のシステム。
【請求項１１】
前記第１のユーザ入力デバイスは、前記生理学的情報の表示から前記ヘルプ画面への切り替えを生じさせるように適合される、請求項１に記載のシステム。
【請求項１２】
前記生理学的情報を表示するように適合される第１の表示ウィンドウと、前記ヘルプ画面を表示するように適合される第２の表示ウィンドウとを備える、請求項１に記載のシステム。
【請求項１３】
前記患者モニタは、パルス酸素濃度計を備える、請求項１に記載のシステム。
【請求項１４】
複数のコンピュータ化された処理の出力表示を提供するように適合されるディスプレイを備える患者モニタであって、該複数の出力表示は、それぞれの複数のコンテキストと関連付けられるように適合される、患者モニタと、
該モニタと連絡しているユーザ入力デバイスであって、該ユーザ入力デバイスは、該ディスプレイ上に複数のヘルプ画面の起動を生じさせるように構成され、該複数のヘルプ画面は、該それぞれの複数のコンテキストと関連付けられるように適合され、該ヘルプ画面のうちの少なくとも１つは、選択可能なテキストを含む、ユーザ入力デバイスと
を備える、監視システム。
【請求項１５】
前記ユーザ入力デバイスは、キーまたはボタンを備える、請求項１４に記載のシステム。
【請求項１６】
前記ユーザ入力デバイスは、ヘルプアイコンを備える、請求項１４に記載のシステム。
【請求項１７】
前記出力表示のうちの少なくとも１つは、メインディスプレイコンテキストと関連付けられたメインディスプレイを備える、請求項１４に記載のシステム。
【請求項１８】
前記複数の出力表示は、メインディスプレイコンテキストと関連付けられたプレチスモグラフ波形ディスプレイを含む、請求項１４に記載のシステム。
【請求項１９】
前記プレチスモグラフ波形ディスプレイコンテキストと関連付けられた前記ヘルプ画面は、ヘルプ画面メインメニューを含む、請求項１８に記載のシステム。
【請求項２０】
前記ヘルプ画面メインメニューは、少なくとも１つのヘルプトピックスを含む、請求項１９に記載のシステム。
【請求項２１】
前記複数の出力表示は、信号状態ディスプレイコンテキストと関連付けられたセンサ信号状態ディスプレイを含む、請求項１４に記載のシステム。
【請求項２２】
前記センサ信号状態ディスプレイコンテキストと関連付けられた前記ヘルプ画面は、センサヘルプ画面を含む、請求項２１に記載のシステム。
【請求項２３】
前記患者モニタは、パルス酸素濃度計を備える、請求項１４に記載のシステム。
【請求項２４】
患者からの生理学的データを表示するように構成されるモニタであって、
第１の表示された生理学的情報に関する選択可能なテキストを含む第１のヘルプ画面であって、該選択可能なテキストは、第２の表示された生理学的情報に関する第２のヘルプ画面の表示を生じさせるように適合される、第１のヘルプ画面を含む、モニタ。
【請求項２５】
前記第１のヘルプ画面および前記第２のヘルプ画面は、同時には表示されない、請求項２４に記載のモニタ。
【請求項２６】
前記モニタは、パルス酸素濃度計を備える、請求項２４に記載のモニタ。
【請求項２７】
患者の生理状態に関する情報を生成するように適合されるコードと、
選択可能なテキストを含む第１のヘルプ画面を表示するように適合されるコードであって、該ヘルプ画面は該情報に関する、コードと、
該選択可能なテキストを選択するように適合されるユーザ入力デバイスから１つ以上の入力信号を受信するように適合されるコードと、
該ユーザ入力デバイスからの該入力信号の受信時に、第２のヘルプ画面を表示するように適合されるコードと
を備える、コンピュータ読み取り可能媒体。
【請求項２８】
前記一連のヘルプ画面は、階層的である、請求項２７に記載のコンピュータ読み取り可能媒体。
【請求項２９】
患者に関する生理学的情報を表示するように適合される患者モニタと、
該モニタと連絡しているユーザ入力デバイスであって、該ユーザ入力デバイスは、該モニタに、可聴ヘルプメッセージと関連付けられるヘルプ画面を表示させるように構成される、ユーザ入力デバイスと
を備える、監視システム。
【請求項３０】
前記ユーザ入力デバイスは、キーまたはボタンを備える、請求項２９に記載のシステム。
【請求項３１】
前記ユーザ入力デバイスは、ヘルプアイコンを備える、請求項２９に記載のシステム。
【請求項３２】
複数のコンピュータ化された処理の出力表示を提供するように適合されるディスプレイを備える患者モニタであって、該複数の出力表示は、それぞれの複数のコンテキストと関連付けられるように適合される、患者モニタと、
該モニタと連絡しているユーザ入力デバイスであって、該ユーザ入力デバイスは、複数の音声ヘルプメッセージの起動を生じさせるように構成され、該複数のヘルプメッセージは、該それぞれの複数のコンテキストと関連付けられるように適合される、ユーザ入力デバイスと
を備える、監視システム。
【請求項３３】
前記ユーザ入力デバイスは、キーまたはボタンを備える、請求項３２に記載のシステム。
【請求項３４】
前記ユーザ入力デバイスは、ヘルプアイコンを備える、請求項３２に記載のシステム。
【請求項３５】
前記出力表示のうちの少なくとも１つは、メインディスプレイコンテキストと関連付けられるメインディスプレイを備える、請求項３２に記載のシステム。
【発明の詳細な説明】
【技術分野】
【０００１】
（技術分野）
本発明は、概して、患者の生理学的データ監視機器のためのヘルプ画面システムに関する。特に、本発明は、ヘルプトピックスのメインメニューとヘルプ情報のサブ画面とを含むコンテキストベースのヘルプ画面システムに関する。
【背景技術】
【０００２】
この節は、以下において記載および／または特許請求されている本発明の種々の態様に関連し得る技術の種々の態様を読者に紹介することを意図するものである。この考察は、本発明の種々の態様のより良い理解を容易にするために、背景情報を読者に提供する上で有益であると考えられる。したがって、これらの記述はこの観点から読まれるべきであって、先行技術の承認として読まれるべきではないことを理解すべきである。
【０００３】
医学分野において、医者が自らの患者のいくつかの生理学的特徴を監視することを望む場合は多い。したがって、患者の多数のそのような特徴を監視するための多種多様なデバイスが開発されてきた。そのようなデバイスは、医者およびその他の医療従事者に、その患者に可能な限り最良の医療を提供するために必要な情報を提供する。結果として、そのような監視デバイスは、現代医学の必須部分となっている。
【０００４】
患者のいくつかの生理学的特徴を監視するための１つの技術は、一般にパルス酸素測定と称されており、パルス酸素測定技術に基づいて構築されたデバイスを、一般にパルス酸素濃度計と称する。パルス酸素測定を使用して、動脈血中におけるヘモグロビンの血液酸素飽和度、組織に供給する個々の血液脈動の体積、および／または患者の各心拍に対応する血液脈動の速度等、種々の血流特性を計測することができる。
【０００５】
パルス酸素測定は、一般に、数ある機能の中でも、患者のバイタルサインに関する情報を表示し、バイタルサインにおける変化が根拠となる場合には、可聴および／または可視の警告を提供する、患者監視デバイスを利用する。これは、人間の観察者（例えば、看護師または医師）が継続的に付き添うことがなくとも、患者の継続的な監督を容易にすることによって患者ケアを改善する。
【０００６】
パルス酸素測定がより高性能になるにつれて、パルス酸素測定モニタが実行し得る機能の数および種類も増加してきた。したがって、パルス酸素測定モニタを操作することは、ユーザにとってより複雑なものとなってきている。パルス酸素測定モニタは、一般に詳細なユーザマニュアルを有するが、これらのマニュアルは、常に監視機器とともに保管され得るわけではない。デバイスに不可欠なパルス酸素測定モニタをユーザヘルプシステムに提供することが望ましいであろう。これは、医療提供者が、直ちにシステムにアクセスし、ユーザマニュアルを捜して時間を無駄にすることなく、デバイスの操作に関するあらゆる質問に回答することを可能にするであろう。
【発明の概要】
【課題を解決するための手段】
【０００７】
当初の請求項に記載されている発明の範囲内に相応するいくつかの態様を以下で説明する。これらの態様は、読者に本発明がとり得るいくつかの形態の概要を提供するために提示されるにすぎず、これらの態様は、本発明の範囲を限定することを意図するものではないことを理解すべきである。実際、本発明は、以下に説明されていない場合がある多種多様な態様を包含し得る。
【０００８】
患者に関する生理学的情報を表示するように適合される患者モニタと、該モニタと連絡しているユーザ入力デバイスであって、該モニタに、選択可能なテキストを含むヘルプ画面を表示させるように構成されるユーザ入力デバイスとを含む、監視システムが提供される。
【０００９】
複数のコンピュータ化された処理の出力表示を提供するように適合されるディスプレイを備える患者モニタであって、複数の出力表示は、それぞれの複数のコンテキストと関連付けられるように適合される、患者モニタと、該モニタと連絡しているユーザ入力デバイスであって、ディスプレイ上に複数のヘルプ画面の起動を生じさせるように構成され、複数のヘルプ画面は、それぞれ複数のコンテキストと関連付けられるように適合され、少なくとも１つのヘルプ画面は、選択可能なテキストを含む、ユーザ入力デバイスとを含む、監視システムも提供される。
【００１０】
第１の表示された生理学的情報に関する選択可能なテキストを含む第１のヘルプ画面を含む、患者からの生理学的データを表示するように構成されるモニタであって、選択可能なテキストは、第２の表示された生理学的情報に関する第２のヘルプ画面の表示を生じさせるように適合される、モニタも提供される。
【００１１】
患者の生理状態に関する情報を生成するように適合されるコードと、選択可能なテキストを含む第１のヘルプ画面であって、該情報に関するヘルプ画面を表示するように適合されるコードと、選択可能なテキストを選択するように適合されるユーザ入力デバイスから１つ以上の入力信号を受信するように適合されるコードと、ユーザ入力デバイスからの入力信号の受信時に、第２のヘルプ画面を表示するように適合されるコードとを備える、コンピュータ読み取り可能媒体も提供される。
【００１２】
患者に関する生理学的情報を表示するように適合される患者モニタと、該モニタと連絡しているユーザ入力デバイスであって、該モニタに、可聴ヘルプメッセージと関連付けられたヘルプ画面を表示させるように構成されるユーザ入力デバイスとを含む、監視システムも提供される。
【００１３】
複数のコンピュータ化された処理の出力表示を提供するように適合されるディスプレイを備える患者モニタであって、複数の出力表示は、それぞれの複数のコンテキストと関連付けられるように適合される、患者モニタと、該モニタと連絡しているユーザ入力デバイスであって、複数の音声ヘルプメッセージの起動を生じさせるように構成され、複数のヘルプメッセージは、それぞれの複数のコンテキストと関連付けられるように適合される、ユーザ入力デバイスとを含む、監視システムも提供される。
【００１４】
本発明の利点は、以下の詳細な説明を読み、図面を参照することで明らかになり得る。
【図面の簡単な説明】
【００１５】
【図１】図１は、本発明の例示的な実施形態に従う患者モニタの斜視図である。
【図２Ａ】図２Ａは、本発明の例示的な実施形態に従う例示的なヘルプ画面メニューの図である。
【図２Ｂ】図２Ｂは、本発明の例示的な実施形態に従う例示的なヘルプ画面メニューの図である。
【図３】図３は、本発明の例示的な実施形態に従う例示的なヘルプサブ画面の図である。
【図４】図４は、本発明の例示的な実施形態に従う例示的なヘルプ画面の図である。
【図５】図５は、本発明の例示的な実施形態に従う、ソフトメニューからヘルプ画面にアクセスし得ることを示す例示的なディスプレイ画面の図である。
【図６】図６は、本発明の例示的な実施形態に従うコンテキストベースのヘルプ画面を提供するための方法のフローチャートである。
【図７】図７は、本発明の例示的な実施形態に従うヘルプ画面の音声バージョンを提供するための音声ヘルプモジュールのブロック図である。
【図８】図８は、本技術に従う多重パラメータモニタおよび例示的な患者モニタの図である。
【発明を実施するための形態】
【００１６】
本発明の１つ以上の具体的な実施形態を以下に記載する。これらの実施形態の簡潔な説明を提供する目的で、本明細書には実際の実装のすべての特徴を記載していない。そのようなあらゆる実際の実装の開発においては、あらゆる工学または設計のプロジェクトと同様に、システム関連およびビジネス関連の制約の遵守等、実装毎に異なり得る、開発者の具体的な目標を達成するために、多数の実装固有の決定が為されなくてはならないことが十分に理解されるはずである。さらに、そのような開発努力は、複雑かつ時間のかかるものとなることもあるが、それでもなお、本開示の利益を有する当業者にとっては、設計、製作、および製造の日常的作業であろうことが十分に理解されるはずである。
【００１７】
本技術は、ヘルプ画面システムを有する患者モニタに関する。生理学的情報を表示し、ユーザがヘルプ画面システムにアクセスすることを可能にするユーザ入力デバイスを含む、パルス酸素濃度計等の患者モニタが提供される。
【００１８】
図１は、本発明の例示的な実施形態に従う患者モニタ１０の斜視図である。モニタ１０は、例えば、ブラウン管または液晶ディスプレイであってもよい表示ウィンドウ１１を含む。表示ウィンドウ１１は、モニタ１０と連結され、生理学的データおよびその他の情報を表示することができる。例えば、モニタ１０は、Ｎｅｌｌｃｏｒ  Ｐｕｒｉｔａｎ  Ｂｅｎｎｅｔｔ  ＬＬＣから入手可能なもの等のパルス酸素濃度計であってもよい。モニタ１０は、ヘルプ画面表示を起動するためのユーザ入力デバイスを含み、該デバイスは、固定機能キー、ソフトキー、遠隔起動デバイス、タッチスクリーン、または音声認識デバイス等、いかなる種類のユーザ入力機構を含んでもよい。例示的なユーザ入力デバイスは、本明細書において、以下でより詳細に考察する表示ウィンドウ１１内におけるヘルプ画面の表示を生じさせるヘルプキー１２として示されている。ヘルプキー１２は、クエスチョンマークアイコン、またはＨＥＬＰ等のテキストインジケータを含んでもよい。いくつかの実施形態において、ヘルプキー１２の起動は、キー１２を押下すること、またはキー１２を押下およびキー１２を解放することを伴い得る。ヘルプキー１２の起動により、表示ウィンドウ１１のビューを患者情報表示からヘルプ画面表示に切り替えることができる。そのような切り替えは、前の表示の完全置換を伴ってもよいし、前の表示のセクションが可視のままであるような、表示の部分置換のみを伴ってもよい。いくつかの実施形態（図示せず）において、モニタ１０は、専用のヘルプ表示ウィンドウである、さらなる表示ウィンドウを含んでもよい。そのような実施形態において、ヘルプ画面は、表示に関して第１の出力表示ウィンドウからの干渉なしに表示され得る。
【００１９】
概して、モニタ１０は、生理学的データ、および／または、患者センサ（後述）から、該センサと通信可能に連結するように構成されたケーブル接続ポート３４を介して受信されるその他のデータを処理する等の機能を含む。モニタ１０は、プロセッサベースおよびソフトウェア制御であってもよい。ソフトウェアは、ＲＡＭ、ＲＯＭ、フラッシュ等のメモリ内に、またはＡＳＩＣ上に格納され得る。さらに、モニタ１０は、再プログラミング可能である。処理データは、表示ウィンドウ１１内に表示され得る。例えば、ディスプレイは、プレチスモグラフ（「ｐｌｅｔｈ」）波形ディスプレイ２２、酸素飽和度ディスプレイ２６、および／またはパルス速度ディスプレイ２８を含んでもよく、それらは、メインディスプレイ画面またはｐｌｅｔｈディスプレイ画面内に表示される。酸素飽和度ディスプレイは、百分率（％）ＳｐＯ２を単位とする機能的な動脈ヘモグロビン酸素飽和度計測であってもよい。パルス速度ディスプレイ２８は、患者のパルス速度を１分間当たりの拍数で示すことができる。その他の実施形態において、表示ウィンドウ１１は、機器の製造番号およびソフトウェアバージョン等の一般的なモニタ情報を含む、モニタ１０をオンにした直後の初期表示を示すことができる。その他の実施形態において、表示ウィンドウ１１は、トピックス固有画面を示すことができるが、それは、セットアップ表示、パルス振幅ブリップとリアルタイムトレンド表示と警告限界とを含む「ブリップ」表示、および監視モード表示等である。
【００２０】
生理学的情報を表示することに加えて、モニタ１０は、警告およびモニタ設定に関する情報を表示することもできる。モニタは、可聴警告信号用のスピーカ１５も含み得る。例えば、いくつかの実施形態において、モニタ１０は、警告を検出し、煩わしい警告を管理するために、ＮｅｌｌｃｏｒＴＭ社製のＳａｔＳｅｃｏｎｄｓＴＭを用いる。ＳａｔＳｅｃｏｎｄｓＴＭは、脱飽和イベントの時間と深度との積分を含み得る限界に基づく警告の起動を含み得、そして、ＳｐＯ２読取りが限界設定を外れたことをオペレータに通知する役割を果たすことができるインジケータ２４も含み得る。ディスプレイは、警告状態が存在する場合に点滅するベル等、警告ステータスインジケータ（図示せず）を含んでもよい。警告消音ボタン３２を使用して警告が消音されているとき、スラッシュおよびタイマー等の警告消音インジケータが現れ、警告が一時的に消音されていることを示す場合がある。メニューを使用して電源を入れ直すかまたは選択を取り消すまで永久的である「全ミュート」メニュー選択によって警告が消音されているとき、スラッシュ付きの警告ステータスインジケータが現れ、警告が消音されていることを示す場合がある。さらに、ディスプレイは、新生児モード警告限界または成人モード警告限界インジケータ３０等のモード設定情報と、高速応答モード設定インジケータ１６等の特殊設定とを含み得る。
【００２１】
ヘルプキー１２またはその他のヘルプユーザ入力デバイスに加えて、モニタ１０は、操作機能に関する多数のキーを含み得る。キーは、表示ウィンドウ１１内の項目をスクロールするために使用され得る上向き矢印キー１３または下向き矢印キー１４等の固定機能キーを含み得る。固定機能キーは、二重機能を有するように構成されてもよい。例えば、いくつかの実施形態（図示せず）において、ヘルプキー１２は、押圧された時間が所定時間に満たない場合にヘルプ画面を呼び出すように構成されてもよく、押下された時間が所定時間より長い場合に、上向き矢印キー１３と下向き矢印キー１４とを組み合わせてコントラストを調整するために使用されてもよい。ヘルプキー１２がプログラミングされたコントラスト調整機能を含むそのような実施形態において、ヘルプキー１２は、クエスチョンマークアイコンおよび電球アイコン等の異なる２つのアイコンを含んでもよい。モニタ１０は、プログラミング可能な機能キー（「ソフトキー」）２０およびソフトキーメニュー１８内の関連ソフトキーアイコンを含んでもよい。４つのソフトキー２０ａ、２０ｂ、２０ｃ、および２０ｄは、ソフトキーアイコンのうちの対応する１つを選択するために押下される。ソフトキーアイコンメニュー１８は、ソフトキー２０によってどのソフトウェアメニュー項目が選択され得るかを示す。アイコンの下、上、または隣等に関連付けられたソフトキー２０を押下して、オプションを選択する。
【００２２】
プレチスモグラフ（ｐｌｅｔｈ）またはメインディスプレイ内において、ヘルプキー１２を押下することによって、図２Ａおよび図２Ｂにより詳細に記載されているヘルプ画面メインメニュー４０の表示を生じさせることができる。ヘルプ画面メインメニュー４０は、サブ画面またはサブメニュー内でヘルプ画面メインメニュー４０からアクセスできるヘルプトピックス４４の１つ以上のページまたは画面を含み得る。ヘルプ画面メインメニューは、警告限界、ＳａｔＳｅｃｏｎｄｓＴＭ、プレチスモグラフ、警告音量、警告消音／オフ、パルスビープ音／音量、メインビュー、モニタトレンド、センサイベントトレンド、表示コントラスト、センサメッセージ、応答モード、またはディスプレイバックライト輝度等のヘルプトピックスを含み得る。本明細書において提供されるようなヘルプ画面システムは、メインヘルプ画面および複数の関連サブ画面を有する階層的なものであり得ることが想定される。例えば、上記ヘルプ画面トピックス４４のそれぞれは、ヘルプ画面メインメニュー４０から選択され得る。選択されると、これらのトピックスは、一般的なヘルプ情報または特定のトピックスのさらなるヘルプサブメニューを含み得るサブ画面を介してアクセスされる。さらに、ヘルプ画面は、テキスト情報を含んでもよい。例えば、ヘルプ画面は、ディスプレイ上またはユーザキーもしくはボタン上に、アイコンのテキスト説明を含み得る。ヘルプ画面は、モニタ１０をセットアップする上での、または種々の設定を調整する上での指示を含んでもよい。
【００２３】
ヘルプ画面メインメニュー４０は、表示ウィンドウ内の画面表示の名称をオペレータに通知するインジケータ５０を含み得る。さらに、ヘルプ画面メインメニュー４０は、どの固定機能キーまたはソフトキーを使用してヘルプ画面メインメニュー４０内をナビゲートすることができるかをオペレータに通知する機能キーインジケータ４８を含んでもよい。図２Ａおよび図２Ｂに示されているように、固定キーは、上向き矢印キー１３または下向き矢印キー１４を含み得る。上向き矢印キー１３または下向き矢印キー１４を押圧することにより、オペレータがヘルプトピックス４４をスクロールすることを可能にできる。個々のヘルプトピックスは、オペレータがそれらをスクロールする際にハイライトされ得る。ヘルプ画面メインメニュー４０のディスプレイ上で使用されるソフトキーは、メニューバー１８内に位置することができ、ＳＨＯＷソフトキーアイコン１９ｂを含み得る。したがって、オペレータが警告音量ヘルプサブ画面にアクセスすることを希望する場合、そのオペレータは、下向き矢印キー１４を使用して、ＳＨＯＷソフトキーアイコン１９ａと関連付けられたソフトキーを押圧することにより、ハイライトされたトピックスにアクセスすることができる。示されているように、ページインジケータ４６ａおよび４６ｂを観察することによってオペレータが気付くことができるように、図２Ａに４４ａとして、および図２Ｂに４４ｂとして示されている２ページのヘルプトピックス４４のページがある。オペレータは、ＮＥＸＴソフトキーアイコン２１ａと関連付けられたソフトキーを押圧することにより、ヘルプ画面メインメニュー４０ａの第１ページからヘルプ画面メインメニュー４０ｂの第２ページにアクセスすることができる。ヘルプ画面メインメニュー４０ｂの第２ページから、オペレータは、ＢＡＣＫソフトキーアイコン２１ｂと関連付けられたソフトキーを押圧することにより、第１ページにナビゲートし返すことができる。あるいは、オペレータは、第１ページの最初または最後のトピックスが、それぞれ固定上向き矢印キー１３または下向き矢印キー１４を使用して選択された後に、これらの矢印キーを押圧することにより、ヘルプ画面メインメニュー４０ａの第１ページからヘルプ画面メインメニュー４０ｂの第２ページに、アクセスすることができる。同様に、オペレータは、第２ページの最初または最後のトピックスが、それぞれ固定上向き矢印キー１３または下向き矢印キー１４を使用して選択された後に、これらの矢印キーを押圧することにより、ヘルプ画面メインメニュー４０ｂの第２ページからヘルプ画面メインメニュー４０ａの第１ページに、ナビゲートし返すことができる。オペレータは、ＥＸＩＴソフトキーアイコン２３ａまたは２３ｂと関連付けられたソフトキーを押圧することにより、任意の点でヘルプ画面メインメニュー４０を終了することができる。
【００２４】
図３は、例示的なトピックス固有のＳａｔＳｅｃｏｎｄｓＴＭのヘルプ画面５２を示す。上記で考察したように、ＳａｔＳｅｃｏｎｄｓＴＭのヘルプ画面５２には、ヘルプメインメニュー４０からアクセスできる。例えば、ヘルプキー１２を押下してヘルプメインメニューを表示した後、オペレータは、ページ（２／２）にアクセスするために、利用可能なヘルプトピックス４４をスクロールしてもよいし、ＮＥＸＴソフトキーアイコン２１ａと関連付けられたソフトキーを押下してもよい。ＳａｔＳｅｃｏｎｄｓＴＭのヘルプ画面５２は、名称表示５６と、ページ数表示５８とを含み得る。描写されているように、ＳａｔＳｅｃｏｎｄｓＴＭのヘルプ画面５２は、数ページのヘルプ情報５４を含んでもよい。オペレータは、ＮＥＸＴソフトキーアイコン５３またはＢＡＣＫソフトキーアイコン５５と関連付けられたソフトキーを使用することにより、その後のヘルプ情報５４ページにアクセスすることができる。ＥＸＩＴソフトキーアイコン５７と関連付けられたソフトキーの使用時においては、ディスプレイはＳＡＴ−Ｓ画面に戻ることになる。ヘルプ画面５２が、利用可能な最初のまたは唯一のページである場合、ＢＡＣＫソフトキーアイコン５５は、ディスプレイをＳＡＴ−Ｓ画面に戻してもよい。その他の実施形態において、ヘルプ画面５２からヘルプキー１２を作動させると、ディスプレイをＳＡＴ−Ｓ画面等の前画面に戻すことができる。さらに、ヘルプ画面は、所望の時間にタイムアウトして、生理学的データ表示等の前モニタ表示に戻ることができる。いくつかの実施形態において、ランタイムソフトウェアは、警告がレジスタするときにメインメニューまたは前の表示に切り替える。その他の実施形態において、警告メッセージは、ヘルプ画面５２上に上書きされ得る。そのような実施形態において、オペレータは、ヘルプキー１２を作動させてヘルプ画面５２を終了し、前の表示に戻ることができる。
【００２５】
図４に示す代替的な実施形態において、トピックス固有ヘルプ画面には、コンテキスト依存の態様でモニタ１０のディスプレイから直接的にアクセスできる。この実施形態において、オペレータは、モニタ１０のソフトキーメニューバー１８上のＬＩＭＩＴＳソフトキーアイコンと関連付けられたソフトキー２０ａ（図１参照）を押圧して、限界メニュー（図示せず）を表示することができる。続いて、限界メニュー（図示せず）から、オペレータはヘルプキー１２を押圧して限界ヘルプ画面９４を表示することができる。限界ヘルプ画面９４は、画面を識別する名称インジケータ９６と、限界ヘルプ９４が単一画面を含むことを示すページ数表示９８とを含み得る。しかしながら、本明細書に記載されているヘルプ画面は任意の適切な数の画面を含み、ここで示されている限界ヘルプ画面９４は例示的なものにすぎないことを理解すべきである。
【００２６】
示されているように、限界ヘルプ画面９４は、限界ヘルプサブ画面への任意の適切な数のハイパーリンクを含むために、リッチテキストで書式設定され得る。ハイパーリンクは、選択可能なテキストに埋め込まれてもよい。例えば、オペレータは、機能キーインジケータ１００内に示されている機能キーを使用することにより、種々のサブ画面にアクセスすることができる。オペレータは、上向き矢印キー１３または下向き矢印キー１４を使用して、ＮＥＯハイパーリンク１０４およびＡＤＵＬＴハイパーリンク１０６等の利用可能なハイパーリンクをスクロールすることができる。オペレータは、ＳＨＯＷソフトキーアイコン１０２と関連付けられたソフトキーを押圧することにより、限界ヘルプサブ画面にアクセスすることもできる。テキスト本文内におけるＮＥＯハイパーリンク１０４およびＡＤＵＬＴハイパーリンク１０６の存在は、デフォルトの下線によって示され得る。あるいは、オペレータは、上矢印１３または下矢印１４を使用して選択可能な領域をスクロールするために、ＳＥＬＥＣＴソフトキー１０２を押圧してもよい。ＳＥＬＥＣＴソフトキー１０２の押圧時に、ヘルプ画面９４内のテキスト「Ｓｅｌｅｃｔ（選択）」がハイライトされ得、続いてＮＥＯハイパーリンク１０４およびＡＤＵＬＴハイパーリンク１０６が下線で表示され得る。ある実施形態において、選択可能なテキストハイパーリンクは、テキスト自体に埋め込まれる。これは、異なる言語でヘルプ画面を書式設定する場合に有利となり得る。そのような実施形態において、種々の言語に対応する画面は、所定の規則により、行に構文解析され得る。そのように、テキストの選択可能な部分は、各言語の適切な単語と関連付けられ得る。リッチテキスト書式設定は、ビットマップおよびその他適切なグラフィックスを可能にすることもできる。
【００２７】
その他の実施形態において、いくつかのモニタ表示画面は、ヘルプ画面システムを起動するための指定ユーザ入力デバイス、例えば指定ヘルプキー１２とは別個のソフトキーからヘルプ画面へのアクセスを含み得る。これは、トピックス固有ヘルプが特定のディスプレイから利用可能であることをオペレータに通知するために有用となり得る。例えば、図５は、例示的なセンサ信号状態ディスプレイ６０を示す。センサ信号状態ディスプレイ６０は、センサ信号の品質がある所定の閾値を下回っていることをモニタ１０が検知している状態の間に起動し得る。センサ信号状態ディスプレイ６０は、所定の条件下で、オペレータからのいかなる入力もなく自動的に起動することができるため、信号状態メッセージ６２に関するさらなる情報を提供するために、オペレータにヘルプ情報を提供することが有利となり得る。ユーザは、ヘルプキー１２を押下することによってセンサ信号に関するヘルプ画面にアクセスすることもできるが、ヘルプソフトキーアイコン６４を含むソフトキーメニューバー１８は、特定のディスプレイ画面に関するさらなる情報が提供されることをオペレータに思い出させることができる。
【００２８】
図６は、本発明の例示的な実施形態に従うコンテキストベースのヘルプをモニタ１０に提供するための方法７０のブロック図である。コンテキストベースのヘルプは、オペレータが、特定のモニタディスプレイに固有であるトピックスに関するヘルプ画面に迅速にアクセスすることを可能にする。したがって、ユーザが警告管理等の特定トピックスに関するディスプレイ画面上にいるとき、ヘルプキー１２を押下すると、警告管理ヘルプ画面を呼び出すことになる。方法はブロック７２において開始し、ブロック７４へ進み、ここでユーザがヘルプキー１２を起動する。ヘルプキー１２の起動時、プロセッサは、ブロック７６において、モニタ表示画面がメインディスプレイ画面コンテキストと関連付けられているか否かを判断することができる。モニタディスプレイのメインディスプレイコンテキストとの関連付けは、ブロック７８において、プロセッサに、ヘルプ画面メインメニューの表示を生じさせる。ブロック８０において判断されるように、ディスプレイが特定のヘルプコンテキストと関連付けられている場合、ブロック８２において、特定のヘルプコンテキストと関連付けられたヘルプ画面サブメニューが表示される。例えば、モニタがトレンド表示内にある場合、プロセッサは、トレンド表示がトレンド表示ヘルプコンテキストと関連付けられていると判断することができる。ヘルプキー１２の押下時、モニタディスプレイは、トレンドヘルプ情報を含有するトレンドヘルプサブ画面に切り替えることができる。したがって、オペレータは、ヘルプ画面メインメニュー内をナビゲートする必要なく、いくつかのモニタディスプレイから個々のヘルプトピックスに迅速にアクセスすることができる。モニタディスプレイが特定のヘルプサブ画面と関連付けられていない状況において、プロセッサは、デフォルトのヘルプ画面、つまりヘルプメインメニュー画面の表示を生じさせることができる。
【００２９】
いくつかの実施形態において、モニタ１０は、可聴ヘルプメッセージを提供するように構成されてもよい。可聴ヘルプメッセージは、訓練目的のために有利となる場合がある。図７において、可聴設定入力デバイス１１０に応答する音声ヘルプモジュール１０８が描写されている。モニタ設定メニューは、音声ヘルプを起動するためにソフトキーまたはその他のユーザ入力デバイスを提供し得ることが想定される。可聴設定入力デバイス１１０は、プロセッサ１１２と連絡している。プロセッサ１１２は、ディスプレイ１１上のヘルプ画面に対応する適切な格納された音声ヘルプファイル１１４を、メモリから取り出すことができる。音声ヘルプファイル１１４は、ｍｐ３ファイル、ＷＡＶファイル、またはその他任意の適切なデジタル保存書式を含み得る。デジタル／アナログ変換器１１６は、音声ヘルプファイル１１４からアナログ信号を生成し、その信号をスピーカ１５へ送信する。音声ヘルプファイル１１４は、ディスプレイ１１上にヘルプ画面の可聴バージョンを含有し得ることが想定される。さらに、音声ヘルプファイル１１４は、テキストまたはグラフィックのヘルプ情報を補足し得る、さらなるヘルプ情報を含有し得ることが想定される。いくつかの実施形態において、音声ヘルプメッセージは、ヘルプ画面５２の表示とは別に起動され得る。そのような実施形態において、音声ヘルプメッセージは、特定のヘルプ画面コンテキストと無関係であってもよい。いくつかの実施形態において、ヘルプ情報は、テキスト、音声、または３つの書式の組み合わせであってもよい。
【００３０】
本明細書に記載されている例示的なパルス酸素測定モニタ１０は、図８に示されるようなセンサ８６とともに使用され得る。センサ８６のケーブル８４は、モニタ１０と連結されてもよいし、センサ８６とモニタ１０との間の無線伝送を容易にするために、伝送デバイス（図示せず）と連結されてもよいことを十分に理解すべきである。センサ８６は、Ｎｅｌｌｃｏｒ  Ｐｕｒｉｔａｎ  Ｂｅｎｎｅｔｔ  Ｉｎｃ．社から入手可能なもの等、任意の適切なセンサ８６であってもよい。さらに、モニタ１０によって提供される従来のパルス酸素測定をアップグレードしてさらなる機能を提供するために、モニタ１０は、センサ入力ポートに接続されたケーブル９０を介して、またはデジタル通信ポートに接続されたケーブル８８を介して、多重パラメータ患者モニタ９２と連結されてもよい。本明細書において記載されているヘルプ画面は、例えば、ヘルプ画面表示を強化または変更することができるソフトウェアのアップグレードまたはプラグインによってアップグレードされ得ることを理解すべきである。
【００３１】
本発明は、種々の修正および代替形態を受け入れる余地があるが、本明細書においては、図面中に例として具体的な実施形態を示し、それについて詳細に説明する。しかしながら、本発明は、開示されている特定の形態に限定されることを意図されていないことを理解すべきである。むしろ、本発明は、下記添付の特許請求の範囲によって定義されるような本発明の趣旨および範囲内にあるすべての修正、均等物、および代替物を網羅するものである。
【図１】
2009539187.tif 000003
【図２Ａ】
2009539187.tif 000004
【図２Ｂ】
2009539187.tif 000005
【図３】
2009539187.tif 000006
【図４】
2009539187.tif 000007
【図５】
2009539187.tif 000008
【図６】
2009539187.tif 000009
【図７】
2009539187.tif 000010
【図８】
2009539187.tif 000011
【国際調査報告】
2009539187.tif 000012
2009539187.tif 000013
2009539187.tif 000014
2009539187.tif 000015
2009539187.tif 000016